(57)【要約】【課題】簡易に測定データを取得する。【解決手段】本開示に係る測定装置１０は、測定対象の物理量を受ける被測定部１０１と、通信機器２０の接近に応じて、無線給電により通信機器２０から電力の供給を受ける電源回路１１と、通信機器２０の接近に応じて、通信機器２０と近距離無線通信を行う無線通信部１２と、電源回路１１に供給された電力により駆動され、被測定部１０１が受けた物理量の測定データを示す信号を生成する信号生成部１７と、を備え、無線通信部１２は、信号生成部１７により生成された信号を通信機器２０に送信する。【選択図】図１
2020094827.tif 000002
【特許請求の範囲】
【請求項１】
測定対象の物理量を受ける被測定部と、
外部機器の接近に応じて、無線給電により前記外部機器から電力の供給を受ける電源回路と、
前記外部機器の接近に応じて、前記外部機器と近距離無線通信を行う無線通信部と、
前記電源回路に供給された電力により駆動され、前記被測定部が受けた物理量の測定データを示す信号を生成する信号生成部と、を備え、
前記無線通信部は、前記信号生成部により生成された信号を前記外部機器に送信する、測定装置。
【請求項２】
請求項１に記載の測定装置において、
機械的な動作により、前記被測定部が受けた物理量に応じた変位を前記物理量を示す値として指示する機械式指示計をさらに備え、
前記信号生成部は、
前記変位に応じた電圧を出力するゲージセンサと、
前記ゲージセンサから出力された電圧を測定する電圧測定回路と、
前記電圧測定回路により測定された電圧に基づき前記信号を生成する演算回路と、を備える測定装置。
【請求項３】
請求項１または２に記載の測定装置において、
前記無線通信部は、ＮＦＣ（Near Field Communication）規格に従った通信方式により、前記外部機器と近距離無線通信を行う、測定装置。
【請求項４】
請求項１から３のいずれか一項に記載の測定装置において、
前記信号生成部は、不揮発性記憶部を備え、前記外部機器から前記無線通信部を介して送信されてきた情報を前記不揮発性記憶部に記憶させる、測定装置。
【請求項５】
測定装置と、前記測定装置への接近に応じて、前記測定装置への給電および前記測定装置との通信が可能な外部機器と、前記測定装置の測定データを管理する管理装置とを備え、
前記測定装置は、
物理量を受ける被測定部と、
前記外部機器の接近に応じて、無線給電により前記外部機器から電力の供給を受ける電源回路と、
前記外部機器の接近に応じて、前記外部機器と近距離無線通信を行う無線通信部と、
前記電源回路に供給された電力により駆動され、前記被測定部が受けた物理量の測定データを示す信号を生成する信号生成部と、を備え、
前記無線通信部は、前記信号生成部により生成された信号を前記外部機器に送信し、
前記外部機器は、前記測定装置から送信されてきた信号を、ネットワークを介して前記管理装置に送信する、測定システム。
【請求項６】
物理量を受ける被測定部を備える測定装置の制御方法であって、
外部機器の接近に応じて、無線給電により前記外部機器から電力の供給を受けるステップと、
前記電力の供給を受けると、前記被測定部が受けた物理量の測定データを示す信号を生成するステップと、
前記生成した信号を前記外部機器に無線通信により送信するステップと、を含む制御方法。
【発明の詳細な説明】
【技術分野】
【０００１】
本開示は、測定装置、測定システムおよび測定装置の制御方法に関する。
【背景技術】
【０００２】
物理量を測定する測定装置の中には、測定した物理量に応じた機械的な動作により測定値を指示する機械式指示計を備えるものがある。また、特許文献１には、アクセスが困難な場所での圧力などの測定データを取得するために、圧力などの測定データを無線送信するデータ通信装置と、データ通信装置を駆動する電源（電池）とを備える測定装置が開示されている。
【先行技術文献】
【特許文献】
【０００３】
【特許文献１】特表２００６−５１００３５号公報
【発明の概要】
【発明が解決しようとする課題】
【０００４】
機械式指示計を備える測定装置では、測定値の確認、測定データを管理する管理装置への測定データの入力などを人手で行う必要があり手間がかかる。また、特許文献１に開示されている測定装置では、測定データを継続的に取得するためには、電池交換の手間およびコストが生じてしまう。
【０００５】
上記のような問題点に鑑みてなされた本開示の目的は、簡易に測定データを取得することができる測定装置、測定システムおよび測定装置の制御方法を提供することにある。
【課題を解決するための手段】
【０００６】
幾つかの実施形態に係る測定装置は、測定対象の物理量を受ける被測定部と、外部機器の接近に応じて、無線給電により前記外部機器から電力の供給を受ける電源回路と、前記外部機器の接近に応じて、前記外部機器と近距離無線通信を行う無線通信部と、前記電源回路に供給された電力により駆動され、前記被測定部が受けた物理量の測定データを示す信号を生成する信号生成部と、を備え、前記無線通信部は、前記信号生成部により生成された信号を前記外部機器に送信する。
このような構成を有する測定装置によれば、外部機器を測定装置に近づけるという簡単な操作で、測定装置の測定データが外部機器に送信されるので、簡易に測定データを取得することができる。
【０００７】
一実施形態において、測定装置は、機械的な動作により、前記被測定部が受けた物理量に応じた変位を前記物理量を示す値として指示する機械式指示計をさらに備え、前記信号生成部は、前記変位に応じた電圧を出力するゲージセンサと、前記ゲージセンサから出力された電圧を測定する電圧測定回路と、前記電圧測定回路により測定された電圧に基づき前記信号を生成する演算回路と、を備える。
このような構成により、被測定部が受けた物理量を測定して、機械式指示計により無電力で指示することができるとともに、測定データを外部機器に送信することができる。
【０００８】
一実施形態において、無線通信部は、ＮＦＣ（Near Field Communication）規格に従った通信方式により、前記外部機器と近距離無線通信を行う。
このような構成により、ＮＦＣ通信規格に従った通信方式による通信が可能な汎用的な機器を用いて測定データを取得することができる。
【０００９】
一実施形態において、前記信号生成部は、不揮発性記憶部を備え、前記外部機器から前記無線通信部を介して送信されてきた情報を前記不揮発性記憶部に記憶させる。
このような構成により、種々の情報を不揮発性記憶部に記憶させることができるので、利便性を向上することができる。
【００１０】
幾つかの実施形態に係る測定システムは、測定装置と、前記測定装置への接近に応じて、前記測定装置への給電および前記測定装置との通信が可能な外部機器と、前記測定装置の測定データを管理する管理装置とを備え、前記測定装置は、物理量を受ける被測定部と、前記外部機器の接近に応じて、無線給電により前記外部機器から電力の供給を受ける電源回路と、前記外部機器の接近に応じて、前記外部機器と近距離無線通信を行う無線通信部と、前記電源回路に供給された電力により駆動され、前記被測定部が受けた物理量の測定データを示す信号を生成する信号生成部と、を備え、前記無線通信部は、前記信号生成部により生成された信号を前記外部機器に送信し、前記外部機器は、前記測定装置から送信されてきた信号を、ネットワークを介して前記管理装置に送信する。
このような構成を有する測定システムによれば、外部機器を測定装置に近づけるという簡単な操作で、測定装置の測定データが外部機器に送信されるので、簡易に測定データを取得し、管理装置に送信することができる。
【００１１】
幾つかの実施形態に係る測定装置の制御方法は、物理量を受ける被測定部を備える測定装置の制御方法であって、外部機器の接近に応じて、無線給電により前記外部機器から電力の供給を受けるステップと、前記電力の供給を受けると、前記被測定部が受けた物理量の測定データを示す信号を生成するステップと、前記生成した信号を前記外部機器に無線通信により送信するステップと、を含む。
このような構成を有する制御方法によれば、外部機器を測定装置に近づけるという簡単な操作で、測定装置の測定データが外部機器に送信されるので、簡易に測定データを取得することができる。
【発明の効果】
【００１２】
本開示に係る測定装置、測定システムおよび測定装置の制御方法によれば、簡易に測定データを取得することができる。
【図面の簡単な説明】
【００１３】
【図１】本開示の一実施形態に係る測定装置を含む測定システムの構成例を示す図である。
【図２】図１に示す測定装置の動作の一例を示すフローチャートである。
【図３】図１に示す測定装置および通信機器の動作の一例を示すシーケンス図である。
【図４】図１に示す測定装置を含む測定システムの他の構成例を示す図である。
【図５】図１に示す測定装置が圧力計である場合の構成例を示す図である。
【図６】図１に示す測定装置と通信機器との間の通信原理について説明するための図である。
【図７】図１に示す測定装置の他の構成例を示す図である。
【図８】比較例に係る測定装置の構成例を示す図である。
【図９】図８に示す測定装置の動作の一例を示すフローチャートである。
【図１０】図８に示す測定装置における測定データの取得について説明するための図である。
【発明を実施するための形態】
【００１４】
以下、本開示を実施するための形態について、図面を参照しながら説明する。各図中、同一符号は、同一または同等の構成要素を示している。
【００１５】
まず比較のために、図８を参照して、比較例に係る測定装置１００の構成例を説明する。
【００１６】
図８に示す測定装置１００は、被測定部１０１と、物理量−変位変換部１０２と、変位−指示変換部１０３と、機械式指示計１０４とを備える。
【００１７】
被測定部１０１は、振動、温度あるいは圧力などの測定対象の物理量を受ける。例えば、測定対象の物理量が圧力である場合には、被測定部１０１は、その測定対象の圧力が印加される。
【００１８】
物理量−変位変換部１０２は、被測定部１０１が受けた物理量に応じて変位する。
【００１９】
変位−指示変換部１０３は、物理量−変位変換部１０２の変位を機械指示計１０４の指示値に変換して、機械式指示計１０４に指示させる。
【００２０】
機械式指示計１０４は、変位−指示変換部１０３からの指示値に応じて機械的に動作し、被測定部１０１が受けた物理量を指示する。すなわち、被測定部１０１が受けた物理量が、機械式指示計１０４により測定装置１０の測定値（測定データ）として出力される。
【００２１】
図９は、図８に示す測定装置１００の動作を示すフローチャートである。
【００２２】
被測定部１０１が物理量を受けると、測定装置１００は動作を開始する。
【００２３】
物理量−変位変換部１０２は、被測定部１０１が受けた物理量に応じて変位する（ステップＳ１０１）。すなわち、物理量−変位変換部１０２は、被測定部１０１が受けた物理量を、物理量−変位変換部１０２によって変位に変換する。
【００２４】
変位−指示変換部１０３は、物理量−変位変換部１０２の変位を機械式指示計１０４の指示値に変換する（ステップＳ１０２）。機械式指示計１０４は、その指示値を機械的な動作により指示することで、被測定部１０１が受けた物理量を、測定データとして表示する（ステップＳ１０３）。このように、図８に示す測定装置１００によれば、物理量の測定および測定した物理量の表示を無電力で行うことができる。
【００２５】
図１０は、測定装置１００の測定データの取得について説明するための図である。
【００２６】
測定装置１００の測定データを取得する場合、図１０に示すように、測定装置１００の機械式指示計１０４に表示されている物理量の測定値を、作業者２００が目視により確認する（作業Ａ）。次に、作業者２００は、確認した測定値を測定装置１００が設置された現場で使用可能な記録媒体３００（例えば、紙）に記録する（作業Ｂ）。そして、作業者２００は、測定データを管理する管理装置４００に、記録媒体３００に記録された測定データを入力する（作業Ｃ）。
【００２７】
このように、測定装置１００においては、測定データの取得のために、上述した作業Ａ−Ｃのように、作業者２００による複数の作業が必要となり、手間がかかってしまう。また、人手を介するため、ヒューマンエラーが発生する可能性もある。
【００２８】
次に、図１を参照して、本開示の一実施形態に係る測定装置１０の構成例について説明する。図１は、本実施形態に係る測定装置１０を含む測定システム１の構成例を示す図である。図１において、図８と同様の構成には同じ符号を付し、説明を省略する。本実施形態に係る測定装置１０は、外部機器である通信機器２０との間で通信を行う。
【００２９】
図１に示す測定システム１は、測定装置１０と、通信機器２０とを含む。
【００３０】
測定装置１０は、例えば、プラントに設置され、振動、温度あるいは圧力などの種々の物理量を測定して、測定データを出力するものである。測定装置１０が設置されるプラントは、例えば、化学プラントなどの工業プラント、ガス田および油田などの井戸元あるいはその周辺を管理制御するプラント、水力・火力・原子力などの発電を管理制御するプラント、太陽光あるいは風力などの環境発電を管理制御するプラント、および、上下水、ダムなどを管理制御するプラントなどである。
【００３１】
通信機器２０は、例えば、電磁誘導を用いた電磁誘導方式あるいは電磁界の共鳴現象を利用した電磁界共鳴方式などにより、他の機器との間で、無線給電および近距離（例えば、数ｃｍ−数ｍ）無線通信が可能な無線通信機器である。通信機器２０の具体例としては、例えば、スマートフォン、タブレット端末などがある。
【００３２】
次に、本実施形態に係る測定装置１０の構成について説明する。
【００３３】
図１に示す測定装置１０は、被測定部１０１と、物理量−変位変換部１０２と、変位−指示変換部１０３と、機械式指示計１０４と、電源回路１１と、無線通信部１２と、ブリッジ回路１３と、電圧測定回路１５と、演算回路１６とを備える。すなわち、本実施形態に係る測定装置１０は、図８に示す測定装置１００と比べて、電源回路１１、無線通信部１２、ブリッジ回路１３、電圧測定回路１５および演算回路１６をさらに備える。なお、電圧測定回路１５および演算回路１６は、アナログ回路、デジタル回路、プロセッサなどから構成されてもよい。
【００３４】
電源回路１１は、通信機器２０の接近に応じて、無線給電により通信機器２０から電力の供給を受ける。電源回路１１は、通信機器２０から供給された電力を、無線通信部１２、ブリッジ回路１３、電圧測定回路１５および演算回路１６に供給する。ブリッジ回路１３、電圧測定回路１５および演算回路１６は、電源回路１１から給電されていない状態では駆動しておらず、電源回路１１からの給電に応じて駆動され、後述する動作を行う。
【００３５】
無線通信部１２は、通信機器２０の接近に応じて、通信機器２０と近距離無線通信を行う。
【００３６】
ブリッジ回路１３は、例えば、ゲージセンサ１４と抵抗とが直列に接続された第１の直列体と、２つの抵抗が直列に接続された第２の直列体とが並列に接続された構成の回路（ホイートストンブリッジ回路）である。ゲージセンサ１４は、物理量−変位変換部１０２の変位に応じて変形し、その変形に応じた電圧を出力する。ブリッジ回路１３は、ゲージセンサ１４から出力された電圧を出力電圧として出力する。上述したように、物理量−変位変換部１０２は被測定部１０１が受けた物理量に応じて変位する。ゲージセンサ１４は、物理量−変位変換部１０２の変位に応じて変形し、その変形に応じた電圧を出力する。したがって、ブリッジ回路１３の出力電圧は、被測定部１０１が受けた物理量に対応するものである。
【００３７】
電圧測定回路１５は、ブリッジ回路１３の出力電圧、すなわち、ゲージセンサ１４から出力された電圧を測定する。
【００３８】
演算回路１６は、電圧測定回路１５により測定された電圧に基づき、被測定部１０１が受けた物理量の測定データを示す信号を生成し、生成した信号を無線通信部１２を介して通信機器２０に送信する。例えば、演算回路１６は、被測定部１０１が受けた物理量と、その物理量に対応するブリッジ回路１３の出力電圧との予め定められた関係に基づき、被測定部１０１の測定データを示す信号を生成する。
【００３９】
ブリッジ回路１３、電圧測定回路１５および演算回路１６は、信号生成部１７を構成する。上述したように、ブリッジ回路１３、電圧測定回路１５および演算回路１６は、電源回路１１からの給電に応じて駆動される。したがって、信号生成部１７は、電源回路１１から供給された電力により駆動され、被測定部１０１が受けた物理量の測定データを示す信号を生成する。そして、無線通信部１２は、信号生成部１７により生成された信号を通信機器２０に送信する。
【００４０】
本実施形態に係る測定装置１０においては、通信機器２０を測定装置１０に近づけることで、通信機器２０から測定装置１０に電力が供給され、その供給された電力により、測定データが生成され、当該測定データが測定装置１０から通信機器２０に送信される。そのため、例えば、作業者は、通信機器２０を測定装置１０に近づけるという簡易な操作で、測定装置１０の測定データを取得することができる。また、本実施形態に係る測定装置１０においては、通信機器２０から測定装置１０に電力が供給されるため、測定データを送信するための電力を供給する電池などを測定装置１０に設ける必要が無い。そのため、電池の交換などの手間をかけることなく、測定データを取得することができる。したがって、本実施形態に係る測定装置１０によれば、簡易に測定データを取得することができる。また、機械式指示計１０４は、機械的な動作を行うので、通信機器２０から供給される電力を必要としないで、すなわち、無電力で、被測定部１０１が受けた物理量を指示することができる。
【００４１】
図２は、本実施形態に係る測定装置１０の制御方法を説明するための図であり、測定装置１０の動作の一例を示すフローチャートである。
【００４２】
通信機器２０が測定装置１０に近づけられると、電源回路１１は、通信機器２０から電力の供給を受ける（ステップＳ１１）。電源回路１１は、通信機器２０から供給された電力を、無線通信部１２、信号生成部１７を構成するブリッジ回路１３、電圧測定回路１５および演算回路１６に供給する（ステップＳ１２）。電源回路１１から電力が供給されることで、無線通信部１２、ブリッジ回路１３、電圧測定回路１５および演算回路１６が駆動される。すなわち、電源回路１１から電力が供給されることで、信号生成部１７が駆動される。
【００４３】
信号生成部１７が駆動された状態で、被測定部１０１が受けた物理量に応じて物理量−変位変換部１０２が変位すると、ゲージセンサ１４は、物理量−変位変換部１０２の変位に応じて変形し、その変形に応じた電圧を出力する。電圧測定回路１５は、ゲージセンサ１４から出力された電圧を測定する（ステップＳ１３）。
【００４４】
演算回路１６は、電圧測定回路１５により測定された電圧を物理量の測定データに変換する（ステップＳ１４）。変換により得られる物理量の測定データは、被測定部１０１が受けた物理量に対応するものである。演算回路１６は、得られた物理量、すなわち、被測定部１０１が受けた物理量の測定データを示す信号生成する。無線通信部１２は、演算回路１６により生成された信号を無線通信により通信機器２０に送信する（ステップＳ１５）。
【００４５】
図３は、本実施形態に係る測定装置１０および通信機器２０の動作の一例を示すシーケンス図である。
【００４６】
測定装置１０において、被測定部１０１が物理量を受けると、物理量−変位変換部１０２は、被測定部１０１が受けた物理量に応じて変位する。すなわち、物理量−変位変換部１０２は、被測定部１０１が受けた物理量を変位に変換する（ステップＳ２１）。物理量−変位変換部１０２の変位に応じて、ゲージセンサ１４が変形する（ステップＳ２２）。
【００４７】
ここで、通信機器２０が測定装置１０に近づけられ、すなわち、通信機器２０と測定装置１０とが近接し、この状態が保持され続けるとする（ステップＳ２３）。
【００４８】
通信機器２０と測定装置１０とが近接すると、通信機器２０から測定装置１０の電源回路１１に電力が供給される（ステップＳ２４）。電源回路１１は、通信機器２０から供給された電力を、無線通信部１２、ブリッジ回路１３、電圧測定回路１５および演算回路１６に供給する（ステップＳ２５）。通信機器２０からの電力供給に応じて、無線通信部１２、ブリッジ回路１３、電圧測定回路１５および演算回路１６が駆動する。
【００４９】
ブリッジ回路１３が駆動すると、ゲージセンサ１４は、物理量−変位変換部１０２の変位に応じて変形しているので、その変形に応じた電圧を出力する。電圧測定回路１５は、ゲージセンサ１４から出力される電圧を測定する。演算回路１６は、電圧測定回路１５により測定された電圧を物理量の測定データに変換する（ステップＳ２６）。そして、演算回路１６は、得られた物理量、すなわち、被測定部１０１の測定データを示す信号を生成し、無線通信部１２を介して通信機器２０に送信する（ステップＳ２７）。
【００５０】
通信機器２０は、測定装置１０から送信されてきた信号を受信する（ステップＳ２８）。そして、通信機器２０は、受信した信号に示される測定データを、通信機器２０が備える表示部、あるいは、通信機器２０に接続された表示部などに表示する（ステップＳ２９）。また、通信機器２０は、受信した信号に示される測定データを、通信機器２０が備えるストレージに保存する（ステップＳ３０）。通信機器２０と測定装置１０とが近接した状態で、被測定部１０１が受ける物理量が変化すると、ステップＳ２６−Ｓ３０の処理を繰り返して、その変化に応じた測定データが逐次、通信機器２０に送信され、保存される。
【００５１】
通信機器２０に測定データが保存された後、通信機器２０が測定装置１０から離されたとする。すなわち、通信機器２０と測定装置１０との近接が解除され、通信機器２０が、測定装置１０との近距離無線通信が可能な範囲から外れたとする（ステップＳ３１）。通信機器２０と測定装置１０との近接が解除されると、通信機器２０から測定装置１０の電源回路１１への電力供給が途絶える（ステップＳ３２）。通信機器２０と測定装置１０との近接が解除されると、通信機器２０は、測定装置１０との通信を終了する（ステップＳ３３）。また、通信機器２０からの電力供給が途絶えると、無線通信部１２、ブリッジ回路１３、電圧測定回路１５および演算回路１６は、稼働を停止する（ステップＳ３４）。
【００５２】
なお、図３においては、測定装置１０の測定データを通信機器２０に保存する例を用いて説明したが、これに限られるものではない。例えば、通信機器２０は、測定データを管理する管理装置３０に測定データを送信してもよい。すなわち、測定システム１は、図４に示すように、測定装置１０と、通信機器２０と、管理装置３０とを含んでいてもよい。
【００５３】
管理装置３０は、例えば、ネットワーク３１に接続されたクラウドサーバであり、測定装置１０の測定データを管理する上位機器である。ネットワーク３１は、有線または無線を問わず、インターネット、ＬＡＮ（Local Area Network）、ＶＰＮ（Virtual Private  Network）などの種々のネットワークである。
【００５４】
通信機器２０は、測定装置１０から取得した測定データを、ネットワーク３１を介して管理装置３０に送信する。上述したように、通信機器２０は、スマートフォン、タブレット端末などの通信機器である。このような通信機器の多くは、ネットワークを介して通信を行う通信機能を備える。通信機器２０は、この通信機能により、ネットワーク３１を介して管理装置３０に送信することができる。
【００５５】
通信機器２０から測定装置１０に供給される電力は、例えば、数ｃｍ〜数十ｃｍ程度の近距離無線通信が可能な程度の微小な電力である。そのため、測定装置１０からネットワーク３１上の管理装置３０に測定データを直接送信することは困難である。しかしながら、図４に示すように、通信機器２０を介することで、測定装置１０の測定データを管理装置３０に送信することができる。
【００５６】
測定装置１０は、例えば、圧力を測定する圧力計である。測定装置１０が圧力計である場合、図５に示すように、物理量−変位変換部１０２としては、ブルドン管１０２ａを用いることができる。ブルドン管１０２ａは、流体が流入される円弧状の管である。ブルドン管１０２ａは、被測定部１０１としての、流体が流入される入口（圧力入口１０１ａ）に印加される圧力に応じて変位する。
【００５７】
また、測定装置１０が温度計である場合、物理量−変位変換部１０２としては、熱膨張率の異なる２枚の金属板を張り合わせたバイメタル（不図示）を用いることができる。この場合、被測定部１０１の温度に応じて、バイメタルが変位する。
【００５８】
ブルドン管１０２ａあるいはバイメタルにゲージセンサ１４を設けることで、これらの変位に応じてゲージセンサ１４が変形し、ゲージセンサ１４からは被測定部１０１が受けた物理量に応じた電圧が出力される。
【００５９】
測定装置１０と通信機器２０との間の近距離無線通信は、例えば、国際標準規格ＩＳＯ／ＩＥＣ１８０９２を基礎とするＮＦＣ−Ａ、ＮＦＣ−Ｂ、ＮＦＣ−Ｆなどを含むＮＦＣ（Near Field Communication）規格に沿った通信方式により行うことができる。この場合、電源回路１１および無線通信部１２は、図６に示すように、コイル状のアンテナ１１ａにより構成することができる。測定装置１０のアンテナ１１ａと、通信機器２０のアンテナとの電磁誘導による結合を介して、通信機器２０は、測定装置１０に電力を供給することができる。この電力により、無線通信部１２と、信号生成部１７（ブリッジ回路１３、電圧測定回路１５および演算回路１６）とを駆動して、測定データを示す信号を生成することができる。また、測定装置１０のアンテナ１１ａと、通信機器２０のアンテナとの電磁誘導による結合を介して、測定装置１０は、生成した信号を通信機器２０に送信することができる。
【００６０】
現在、スマートフォン、タブレット端末などの通信機器の中には、ＮＦＣ規格に従った通信方式により通信を行う機能（ＮＦＣ通信機能）を有する機器が数多く流通している。そのため、通信機器２０として、専用の機器ではなく、ＮＦＣ通信機能を有する汎用的な機器を用いることができる。
【００６１】
測定装置１０の信号生成部１７は、図７に示すように、不揮発性記憶部１８をさらに備えていてもよい。演算回路１６は、通信機器２０から供給された電力により駆動され、無線通信部１２を介して通信機器２０から情報が送信されてくると、その情報を不揮発性記憶部１８に記憶させることができる。不揮発性記憶部１８は、通信機器２０からの電力供給が途絶えても、記憶した情報を保持することができる。不揮発性記憶部１８に記憶させる情報は、例えば、測定装置１０を識別するためのタグ名、前回の測定データの取得日時、測定装置１０の設置場所、前回の取得された測定データの値などの情報である。これらの情報を通信機器２０から測定装置１０に送信して不揮発性記憶部１８に記憶させておき、例えば、新たに測定データを取得する際に、不揮発性記憶部１８に記憶されている情報も併せて取得することで、前回の測定データの取得日時からの経過時間などを容易に把握することができる。そのため、測定データを収集する際の利便性を向上させることができる。
【００６２】
このように本実施形態においては、測定装置１０は、物理量を受ける被測定部１０１と、外部機器である通信機器２０の接近に応じて、無線給電により通信機器２０から電力の供給を受ける電源回路１１と、通信機器２０の接近に応じて、通信機器２０と近距離無線通信を行う無線通信部１２と、電源回路１１に供給された電力により駆動され、被測定部１０１が受けた物理量の測定データを示す信号を生成する信号生成部１７と、を備える。そして、無線通信部１２は、信号生成部１７により生成された信号を通信機器２０に送信する。
【００６３】
通信機器２０を測定装置１０に近づけることで、通信機器２０から測定装置１０に電力が供給され、その供給された電力により、測定データが生成され、当該測定データが測定装置１０から通信機器２０に送信される。そのため、例えば、作業者は、通信機器２０を測定装置１０に近づけるという簡単な操作で、測定装置１０の測定データを取得することができる。また、本実施形態に係る測定装置１０においては、通信機器２０から測定装置１０に電力が供給されるため、測定データを送信するための電力を供給する電池などを測定装置１０に設ける必要が無い。そのため、電池の交換などの手間をかけることなく、測定データを取得することができる。したがって、本実施形態に係る測定装置１０によれば、簡易に測定データを取得することができる。
【００６４】
上述の実施形態は代表的な例として説明したが、本開示の趣旨および範囲内で、多くの変更および置換が可能であることは当業者に明らかである。したがって、本開示は、上述の実施形態によって制限するものと解するべきではなく、特許請求の範囲から逸脱することなく、種々の変形および変更が可能である。例えば、実施形態の構成図に記載の複数の構成ブロックを１つに組み合わせたり、あるいは１つの構成ブロックを分割したりすることが可能である。
【符号の説明】
【００６５】
１    測定システム
１０，１００    測定装置
１１    電源回路
１１ａ    アンテナ
１２    無線通信部
１３    ブリッジ回路
１４    ゲージセンサ
１５    電圧測定回路
１６    演算回路
１７    信号生成部
１８    不揮発性記憶部
１０１    被測定部
１０１ａ    圧力入口
１０２    物理量−変位変換部
１０２ａ    ブルドン管
１０３    変位−指示変換部
１０４    機械式指示計
２０    通信機器（外部機器）
３０    管理装置
３１    ネットワーク
２００    作業者
３００    記録媒体
４００    管理装置
【図１】
2020094827.tif 000003
【図２】
2020094827.tif 000004
【図３】
2020094827.tif 000005
【図４】
2020094827.tif 000006
【図５】
2020094827.tif 000007
【図６】
2020094827.tif 000008
【図７】
2020094827.tif 000009
【図８】
2020094827.tif 000010
【図９】
2020094827.tif 000011
【図１０】
2020094827.tif 000012